(57)【要約】【課題】  部品点数を増加させずにメイン配線をローダーシャーシに係止すること。【解決手段】  ローダーシャーシ２の上方にメイン基板１１が配置されると共に、そのローダーシャーシ２の所定間隔をおいて平行する左右一対の側壁部２ａ，２ｂのうち、その一方の側壁部２ａに沿って前記メイン基板１１が配置され、該メイン基板１１の外側縁中央にメインコネクタ１３が設けられ、スピンドルモータとフィードモータ２１とにそれぞれ接続した中継基板２４がトラバースシャーシ３の下面中央に配置され、該中継基板２４に一端を接続したフレキシブルフラットケーブルからなるメイン配線２５の他端がフィードモータ２１の近く及びローダーシャーシ２の一方の側壁部２ａの外側を通ってメインコネクタ１３に接続され、ローダーシャーシ２の一方の側壁部２ａに、メイン配線２５を係止するための係止片３３が一体形成されている。【選択図】        図２
2007305177.tif 000002
【特許請求の範囲】
【請求項１】
ディスク載置用トレイを前後進可能に支持する合成樹脂製ローダーシャーシが設けられ
、該ローダーシャーシの上方にメイン基板が配置されると共に、そのローダーシャーシの
所定間隔をおいて平行する左右一対の側壁部のうち、その一方の側壁部に沿って前記メイ
ン基板が配置され、前記ローダーシャーシの両側壁部間に上下動可能に配置したトラバー
スシャーシの上面前部にターンテーブル付きスピンドルモータが配置されると共に、該ト
ラバースシャーシの中央に光ピックアップがディスクの半径方向に沿って往復移動可能に
配置され、該光ピックアップを連動機構を介して往復移動させるフィードモータがトラバ
ースシャーシの下面の一方側部に配置され、前記スピンドルモータとフィードモータとに
接続した中継基板がトラバースシャーシの下面中央に配置され、該中継基板に一端を接続
したフレキシブルフラットケーブルからなるメイン配線の他端がフィードモータの近く及
びローダーシャーシの一方の側壁部の外側を通って前記メイン基板に接続されており、そ
のメイン基板からメイン配線及び中継基板を介してスピンドルモータ及びフィードモータ
に通電し、ローダーシャーシを上下動させてターンテーブルとトレイとの間でディスクの
受け渡しを行うようにしたディスク装置において、前記ローダーシャーシの一方の側壁部
を形成する内外両縦板間の横板の下面に基端部を一体形成した棒状係止片が設けられ、該
係止片の先端部が前記内外両縦板内の空隙に対向するようにその内外両縦板に沿って水平
に延ばされ、前記内外両縦板の下面と外側面との間の角部を面取りして傾斜面が形成され
ており、係止片の先端部と内外両縦板との間にメイン配線を差し込むようにしたことを特
徴とするディスク装置。
【請求項２】
ディスク載置用トレイを前後進可能に支持する合成樹脂製ローダーシャーシが設けられ
、該ローダーシャーシの上方にメイン基板が配置されると共に、そのローダーシャーシの
所定間隔をおいて平行する左右一対の側壁部のうち、その一方の側壁部に沿って前記メイ
ン基板が配置され、前記ローダーシャーシの両側壁部間に上下動可能に配置したトラバー
スシャーシの上面前部にターンテーブル付きスピンドルモータが配置されると共に、該ト
ラバースシャーシの中央に光ピックアップがディスクの半径方向に沿って往復移動可能に
配置され、該光ピックアップを連動機構を介して往復移動させるフィードモータがトラバ
ースシャーシの下面の一方側部に配置され、前記スピンドルモータとフィードモータとに
接続した中継基板がトラバースシャーシの下面中央に配置され、該中継基板に一端を接続
したフレキシブルフラットケーブルからなるメイン配線の他端がフィードモータの近く及
びローダーシャーシの一方の側壁部の外側を通って前記メイン基板に接続されており、そ
のメイン基板からメイン配線及び中継基板を介してスピンドルモータ及びフィードモータ
に通電し、ローダーシャーシを上下動させてターンテーブルとトレイとの間でディスクの
受け渡しを行うようにしたディスク装置において、前記ローダーシャーシの一方の側壁部
に、メイン配線を係止するための係止片が一体形成されていることを特徴とするディスク
装置。
【請求項３】
前記係止片が棒状に形成され、該係止片の基端部がローダーシャーシの一方の側壁部を
形成する内外両縦板間の横板の下面に一体形成されると共に、その係止片の先端部が前記
内外両縦板内の空隙に対向するようにその内外両縦板に沿って水平に延ばされており、係
止片の先端部と内外両縦板との間にメイン配線を差し込むようにしたことを特徴とする請
求項２に記載のディスク装置。
【請求項４】
前記内外両縦板の下面と外側面との間の角部を面取りして傾斜面が形成されていること
を特徴とする請求項３に記載のディスク装置。
【発明の詳細な説明】
【技術分野】
【０００１】
本発明は、ディスク装置（例えばＤＶＤレコーダやＤＶＤプレーヤなど）に関し、特に
、部品点数を増加させずにメイン配線をローダーシャーシに適正に係止するようにしたも
のである。
【背景技術】
【０００２】
従来、ディスク装置の一例を図５〜図１０に基づいて説明すると、これはＤＶＤレコー
ダであって、図８〜図１０に示すように、筐体Ｈ内にディスクＤ載置用トレイ１を前後進
ａ，ｂ可能に支持するローダーシャーシ２が設けられ、該ローダーシャーシ２内にトラバ
ースシャーシ３とトラバースホルダ４とが配置され、該トラバースシャーシ３の後部がゴ
ムからなる左右一対の後側弾性体５を介してローダーシャーシ２に上下動ｃ，ｄ可能に連
結されると共に、そのトラバースシャーシ３の前部がゴムからなる左右一対の前側弾性体
６を介してトラバースホルダ４に連結され、該トラバースホルダ４に対向するカムスライ
ダ７がローダーシャーシ２に前後進ａ，ｂ方向とは直交する左右方向ｅ，ｆにスライド可
能に配置され、該カムスライダ７のカム溝８に嵌入するカムピン９がトラバースホルダ４
の前面に突設されている。
【０００３】
図５〜図７に示すように、前記ローダーシャーシ２は、合成樹脂により成形され、該ロ
ーダーシャーシ２が、所定間隔をおいて平行する左右一対の側壁部２ａ，２ｂと、該両側
壁部２ａ，２ｂの上面間に架設した横桁２ｃとを有し、ローダーシャーシ２の上方に配置
したメイン基板１１が一方の側壁部２ａに沿ってビス１２止めされ、そのメイン基板１１
の外側縁中央にメインコネクタ１３が設けられると共に、その外側縁後側にサブコネクタ
１４が設けられている。なお、２ｄは各側壁部２ａ，２ｂの前後両端に一体突設した脚部
である。
【０００４】
図８〜図１０に示すように、前記トラバースシャーシ３はローダーシャーシ２の両側壁
部２ａ，２ｂ間に上下動ｃ，ｄ可能に配置され、該トラバースシャーシ３の上面前部にタ
ーンテーブル１６付きスピンドルモータ１７が配置されると共に、該トラバースホルダ４
の中央にガイドレール１８を介して対物レンズＯＬ付き光ピックアップ１９がディスクＤ
の半径方向に沿って往復移動可能に配置され、該光ピックアップ１９を連動機構２０を介
して往復移動させるフィードモータ２１がトラバースホルダ４の下面の一方側部に配置さ
れている。
【０００５】
図５〜図７に示すように、スピンドルモータ１７とフィードモータ２１とにフレキシブ
ルフラットケーブルからなる中継配線２２，２３を介してそれぞれ接続した中継基板２４
がトラバースシャーシ３の下面中央に配置され、該中継基板２４に一端を接続したフレキ
シブルフラットケーブルからなるメイン配線２５の他端がフィードモータ２１の近傍及び
ローダーシャーシ２の一方の側壁部２ａの外側を通ってメインコネクタ１３に接続され、
光ピックアップ１９に接続したフレキシブルフラットケーブルからなるサブ配線２６の他
端がローダーシャーシ２の下方から一方の側壁部２ａの外側を通ってサブコネクタ１４に
接続されている。
【０００６】
図８に示すように、フィードモータ２１により連動機構２０を介して正逆回転ｇ，ｈさ
れる従動ピニオン２８がローダーシャーシ２の前部に配置され、該従動ピニオン２８に対
向するスライドラック２９がカムスライダ７の一端部に一体形成されている。なお、図１
０中、３０は横桁２ｃの中央収納部３１に一定範囲内昇降可能に配置したクランパであっ
て、該クランパ３０に設けた永久磁石の磁力によりターンテーブル１６とでディスクＤを
クランプする。
【０００７】
動作原理を説明すると、図１０（ａ）に示すプレイモードでは、トラバースシャーシ３
を上限位置まで上動ｃさせて水平姿勢とし、ターンテーブル１６とクランパ３０とでディ
スクＤをクランプしており、メイン基板１１からメイン配線２５、中継基板２４及び中継
配線２２，２３を介してスピンドルモータ１７及びフィードモータ２１に通電し、該スピ
ンドルモータ１７を駆動することによりターンテーブル１６を介してディスクＤを高速回
転させ、フィードモータ２１を駆動することにより連動機構２０を介して光ピックアップ
１９を往復移動させ、メイン基板１１からサブ配線２６を介して光ピックアップ１９に通
電し、該光ピックアップ１９を駆動することにより、ディスクＤに記録されている映像情
報の再生や録画または消去をおこなう。
【０００８】
トレイオープン時には、エジェクト釦を押すなどしてアンローディング信号が制御部に
入力されると、スピンドルモータ１７の駆動を停止し、フィードモータ２１により連動機
構２０を介して光ピックアップ１９を最前進ａさせ、それに連動してカムスライダ７を矢
印ｅ方向にわずかにスライドさせてスライドラック２９を従動ピニオン２８に噛合させ、
フィードモータ２１により連動機構２０を介して従動ピニオン２８を矢印ｈ方向に回転さ
せ、カムスライダ７を矢印ｅ方向にスライドさせる。
【０００９】
これにより、図１０（ｂ）に示すように、カム溝８及びカムピン９を介してトラバース
ホルダ４が下降されることにより、前側弾性体６を介してトラバースシャーシ３が後側弾
性体５を中心に下動ｄされ、ターンテーブル１６上のディスクＤをトレイ１に受け渡す。
その後、カムスライダ７が矢印ｅ方向の最終端に達する直前に、スライドラック２９が従
動ピニオン２８から離間され、それとほぼ同時に、トレイ１がわずかに前進ａされ、該ト
レイ１の下面のラック（図示せず）を従動ピニオン２８に噛合させる。続いて、フィード
モータ２１により連動機構２０、従動ピニオン２８及びラック（図示せず）を介してトレ
イ１を前進ａさせてオープン状態とし（図５仮想線参照）、そのオープン状態のトレイ１
からディスクＤを取り出したり新たなディスクＤをトレイ１上に載置する。
【００１０】
トレイイン時には、上記と逆の手順が操作が行われ、トレイ１からターンテーブル１６
にディスクＤが受け渡される〔図１０（ａ）参照〕。なお、本発明に関連する技術として
特許文献１に記載したものがある。
【特許文献１】実用新案登録第３０８９８７７号公報
【発明の開示】
【発明が解決しようとする課題】
【００１１】
上記従来の構成では、メイン配線２５がトラバースシャーシ３の下面中央の中継基板２
４からフィードモータ２１の近傍及びローダーシャーシ２の一方の側壁部２ａの外側を通
ってローダーシャーシ２上のメイン基板１１まで延ばされているため、トラバースシャー
シ３の上下動ｃ，ｄに伴って、メイン配線２５が不測に揺動してフィードモータ２１に接
触されることがあり、その接触が繰り返されることにより、メイン配線２５の接触部分の
皮膜が損傷されて内部の導線がフィードモータ２１に接触し、ショート事故を起こすおそ
れがある。
【００１２】
そこで、例えば両面接着テープでメイン配線２５をローダーシャーシ２の一方の側壁部
２ａに貼着することにより、該メイン配線２５が不測に揺動するのを阻止することが考え
られるが、これでは、両面接着テープを用いることにより部品点数が増加してコストアッ
プになる。
【００１３】
また、両面接着テープの貼着力が強くて、その貼着による係止位置が固定されているの
で、その係止位置から中継基板２４までのメイン配線２５の長さが短すぎる場合には、ト
ラバースシャーシ３の上下動ｃ，ｄを阻害することになるし、それが長すぎる場合には、
従来と同じようにメイン配線２５がフィードモータ２１に接触されることになる。従って
、係止位置から中継基板２４までのメイン配線２５の長さを微妙に調整する必要があり、
その両面接着テープによる係止作業に手間がかかって面倒である。
【００１４】
本発明は、上記従来の欠点に鑑み、部品点数を増加させずにメイン配線をローダーシャ
ーシに適正に係止することができるようにしたしたディスク装置を提供することを目的と
している。
【課題を解決するための手段】
【００１５】
上記目的を達成するため、請求項１に記載の発明は、ディスク載置用トレイを前後進可
能に支持する合成樹脂製ローダーシャーシが設けられ、該ローダーシャーシの上方にメイ
ン基板が配置されると共に、そのローダーシャーシの所定間隔をおいて平行する左右一対
の側壁部のうち、その一方の側壁部に沿って前記メイン基板が配置され、前記ローダーシ
ャーシの両側壁部間に上下動可能に配置したトラバースシャーシの上面前部にターンテー
ブル付きスピンドルモータが配置されると共に、該トラバースシャーシの中央に光ピック
アップがディスクの半径方向に沿って往復移動可能に配置され、該光ピックアップを連動
機構を介して往復移動させるフィードモータがトラバースシャーシの下面の一方側部に配
置され、前記スピンドルモータとフィードモータとに接続した中継基板がトラバースシャ
ーシの下面中央に配置され、該中継基板に一端を接続したフレキシブルフラットケーブル
からなるメイン配線の他端がフィードモータの近く及びローダーシャーシの一方の側壁部
の外側を通って前記メイン基板に接続されており、そのメイン基板からメイン配線及び中
継基板を介してスピンドルモータ及びフィードモータに通電し、ローダーシャーシを上下
動させてターンテーブルとトレイとの間でディスクの受け渡しを行うようにしたディスク
装置において、前記ローダーシャーシの一方の側壁部を形成する内外両縦板間の横板の下
面に基端部を一体形成した棒状係止片が設けられ、該係止片の先端部が前記内外両縦板内
の空隙に対向するようにその内外両縦板に沿って水平に延ばされ、前記内外両縦板の下面
と外側面との間の角部を面取りして傾斜面が形成されており、係止片の先端部と内外両縦
板との間にメイン配線を差し込むようにしたことを特徴としている。
【００１６】
請求項２に記載の発明は、ディスク載置用トレイを前後進可能に支持する合成樹脂製ロ
ーダーシャーシが設けられ、該ローダーシャーシの上方にメイン基板が配置されると共に
、そのローダーシャーシの所定間隔をおいて平行する左右一対の側壁部のうち、その一方
の側壁部に沿って前記メイン基板が配置され、前記ローダーシャーシの両側壁部間に上下
動可能に配置したトラバースシャーシの上面前部にターンテーブル付きスピンドルモータ
が配置されると共に、該トラバースシャーシの中央に光ピックアップがディスクの半径方
向に沿って往復移動可能に配置され、該光ピックアップを連動機構を介して往復移動させ
るフィードモータがトラバースシャーシの下面の一方側部に配置され、前記スピンドルモ
ータとフィードモータとに接続した中継基板がトラバースシャーシの下面中央に配置され
、該中継基板に一端を接続したフレキシブルフラットケーブルからなるメイン配線の他端
がフィードモータの近く及びローダーシャーシの一方の側壁部の外側を通って前記メイン
基板に接続されており、そのメイン基板からメイン配線及び中継基板を介してスピンドル
モータ及びフィードモータに通電し、ローダーシャーシを上下動させてターンテーブルと
トレイとの間でディスクの受け渡しを行うようにしたディスク装置において、前記ローダ
ーシャーシの一方の側壁部に、メイン配線を係止するための係止片が一体形成されている
ことを特徴としている。
【００１７】
請求項３に記載の発明は、請求項２に記載の発明において、前記係止片が棒状に形成さ
れ、該係止片の基端部がローダーシャーシの一方の側壁部を形成する内外両縦板間の横板
の下面に一体形成されると共に、その係止片の先端部が前記内外両縦板内の空隙に対向す
るようにその内外両縦板に沿って水平に延ばされており、係止片の先端部と内外両縦板と
の間にメイン配線を差し込むようにしたことを特徴としている。
【００１８】
請求項４に記載の発明は、請求項３に記載の発明において、前記内外両縦板の下面と外
側面との間の角部を面取りして傾斜面が形成されていることを特徴としている。
【発明の効果】
【００１９】
請求項１に記載の発明は、実施の一形態（図１〜図４参照）に対応するものであって、
これによれば、トラバースシャーシの上下動に伴ってメイン配線がフィードモータに不測
に接触しないように、該メイン配線を係止片でローダーシャーシの一方の側壁部に係止し
ており、その係止片がローダーシャーシに一体形成されているから、部品点数が増加せず
、コストダウンを図ることができる。
【００２０】
また、メイン配線を係止片と内外両縦板との間に差し込んで係止しているだけであり、
その係止片と内外両縦板とからなる係止位置でメイン配線を適度に滑らせて、そのメイン
配線の長さを調整することができるから、例えば係止位置から中継基板までのメイン配線
の長さを短く設定しておくことにより、下動するトラバースシャーシでメイン配線を引き
下げて、そのメイン配線の係止位置から中継基板までの長さを適正に調整することができ
、従来のようにメイン配線の長さが短すぎてトラバースシャーシの上下動を阻害したり、
それが長すぎてメイン配線がフィードモータに接触することがなくなり、メイン配線の係
止作業を迅速容易に行うことができる。
【００２１】
更に、内外両縦板の下面と外側面との間の角部を面取りして形成した傾斜面に沿ってそ
の内外両縦板と係止片との間にメイン配線を容易に差し込むことができる。
【００２２】
請求項２に記載の発明は基本形態に対応するものであって、これによれば、トラバース
シャーシの上下動に伴ってメイン配線がフィードモータに不測に接触しないように、該メ
イン配線を係止片でローダーシャーシの一方の側壁部に係止しており、その係止片がロー
ダーシャーシに一体形成されているから、部品点数が増加せず、コストダウンを図ること
ができる。
【００２３】
請求項３に記載の発明によれば、メイン配線を係止片と内外両縦板との間に差し込んで
係止しているだけであり、その係止片と内外両縦板とからなる係止位置でメイン配線を適
度に滑らせて、そのメイン配線の長さを調整することができるから、例えば係止位置から
中継基板までのメイン配線の長さを短く設定しておくことにより、下動するトラバースシ
ャーシでメイン配線を引き下げて、そのメイン配線の係止位置から中継基板までの長さを
適正に調整することができ、従来のようにメイン配線の長さが短すぎてトラバースシャー
シの上下動を阻害したり、それが長すぎてメイン配線がフィードモータに接触することが
なくなり、メイン配線の係止作業を迅速容易に行うことができる。
【００２４】
請求項４に記載の発明によれば、内外両縦板の下面と外側面との間の角部を面取りして
形成した傾斜面に沿ってその内外両縦板と係止片との間にメイン配線を容易に差し込むこ
とができる。
【発明を実施するための最良の形態】
【００２５】
図１及び図２は本発明の実施の一形態であるＤＶＤレコーダ（ディスク装置）を示すも
のであって、ローダーシャーシ２の一方の側壁部２ａに、メイン配線２５を係止するため
の係止片３３が一体形成されている。なお、メイン配線２５の係止片３３に対応する部分
を折り曲げて重ねることにより折り重ね部２５ａが形成されている。上記以外の構成は図
５〜図１０に示す構成とほぼ同じであるから、同一部分に同一符号を付してその説明を省
略する。
【００２６】
上記構成によれば、トラバースシャーシ３の上下動ｃ，ｄに伴ってメイン配線２５がフ
ィードモータ２１に不測に接触しないように、該メイン配線２５を係止片３３でローダー
シャーシ２の一方の側壁部２ａに係止しており、その係止片３３がローダーシャーシ２に
一体形成されているから、部品点数が増加せず、コストダウンを図ることができる。
【００２７】
図３及び図４に示すように、前記係止片３３は、棒状に形成され、該係止片３３の基端
部がローダーシャーシ２の一方の側壁部２ａを形成する内外両縦板３４，３５間の横板３
６の下面に一体形成されると共に、その係止片３３の先端部が前記内外両縦板３４，３５
内の空隙３７に対向するようにその内外両縦板３４，３５に沿って水平に延ばされており
、係止片３３の先端部を弾性変位させて、その係止片３３の先端部と内外両縦板３４，３
５との間にメイン配線２５の折り重ね部２５ａを差し込む。なお、係止片３３の下面に、
該係止片３３の長手方向に沿って凸状補強杆３３ａが一体突設されている。
【００２８】
図４に示すように、前記空隙３７の横幅ｈ１は係止片３３の横幅ｈ２の１．５〜２．５
倍（好ましくは２倍程度）に設定されている。ここで、１．５倍未満の場合は、メイン配
線２５を係止片３３の先端部と内外両縦板３４，３５との間に差し込むのが困難になり、
２．５倍を超える場合は、係止片３３の先端部と内外両縦板３４，３５との間からメイン
配線２５が不測に抜け出るおそれがある。そこで、空隙３７の横幅ｈ１を上記のように設
定することにより、メイン配線２５を係止片３３の先端部と内外両縦板３４，３５との間
に差し込みやすくてその間から不測に抜け出ないようにしている。
【００２９】
上記構成によれば、図２及び図４（ｄ）に示すように、メイン配線２５を係止片３３と
内外両縦板３４，３５との間に差し込んで係止しているだけであり、その係止片３３と内
外両縦板３４，３５とからなる係止位置Ｐでメイン配線２５を矢印ｉ方向に適度に滑らせ
て、そのメイン配線２５の長さを調整することができるから、例えば係止位置Ｐから中継
基板２４までのメイン配線２５の長さＨを短く設定しておくことにより、下動ｄするトラ
バースシャーシ３でメイン配線２５を引き下げて、そのメイン配線２５の係止位置Ｐから
中継基板２４までの長さＨを適正に調整することができ、従来のようにメイン配線２５の
長さＨが短すぎてトラバースシャーシ３の上下動ｃ，ｄを阻害したり、それが長すぎてメ
イン配線２５がフィードモータ２１に接触することがなくなり、メイン配線２５の係止作
業を迅速容易に行うことができる。
【００３０】
図３及び図４に示すように、内外両縦板３４，３５の下面と外側面との間の角部を面取
りして傾斜面３４ａ，３５ａが形成されており、その傾斜面３４ａ，３５ａに沿ってメイ
ン配線２５を内外両縦板３４，３５と係止片３３との間に容易に差し込むことができる〔
図４（ｄ）参照〕。また、図４（ｃ）に示すように、係止片３３の空隙対向面と両外側面
との間の角部も面取りして傾斜面３３ｂが形成されており、その両傾斜面３３ｂに沿って
メイン配線２５を内外両縦板３４，３５と係止片３３との間に一層容易に差し込むことが
できる。
【産業上の利用可能性】
【００３１】
上記実施の形態では、ＤＶＤレコーダを例にあげて説明したが、これに限定されるわけ
ではなく、ＤＶＤプレーヤなどの各種ディスク装置にも適用することができる。
【図面の簡単な説明】
【００３２】
【図１】本発明の実施の一形態であるディスク装置の概略底面図である。
【図２】同底面側斜視図である。
【図３】同要部の斜視図である。
【図４】（ａ）は同要部の底面図、（ｂ）はＡ−Ａ矢視図、（ｃ）はＢ−Ｂ矢視図、（ｄ）はメイン配線の係止状態を示す横断面図である。
【図５】従来例を示す平面図である。
【図６】同一部切欠き側面図である。
【図７】同一部切欠き底面図である。
【図８】同拡大水平断面図である。
【図９】同拡大横断面図である。
【図１０】（ａ）はトラバースシャーシ上動状態の縦断面図、（ｂ）はトラバースシャーシ下動状態の縦断面図である。
【符号の説明】
【００３３】
１          トレイ
２          ローダーシャーシ
２ａ        一方の側壁部
２ｂ        他方の側壁部
３          トラバースシャーシ
１１        メイン基板
１６        ターンテーブル
１７        スピンドルモータ
１９        光ピックアップ
２０        連動機構
２１        フィードモータ
２２、２３  中継配線
２４        中継基板
２５        メイン配線
３３        係止片
３４、３５  縦板
３６        横板
３７        空隙
Ｄ          ディスク
ａ，ｂ      前後進
ｃ，ｄ      上下動
【図１】
2007305177.tif 000003
【図２】
2007305177.tif 000004
【図３】
2007305177.tif 000005
【図４】
2007305177.tif 000006
【図５】
2007305177.tif 000007
【図６】
2007305177.tif 000008
【図７】
2007305177.tif 000009
【図８】
2007305177.tif 000010
【図９】
2007305177.tif 000011
【図１０】
2007305177.tif 000012